(57)【要約】  本発明の実施形態に係るエネルギー貯蔵システムの過放電防止及び再起動のための装置は、常時外部電源、電力が蓄えられるバッテリー、前記常時外部電源の電力及び前記バッテリーの電力を変換する電力調節装置、及び、前記常時外部電源とバッテリーとの接続を制御するメインスイッチを備えてなり、前記バッテリーは、前記バッテリーの残存容量が所定の容量以下になれば、前記メインスイッチをオフにして、バッテリーの放電を遮断し、スリープモードで動作するバッテリー管理システム及び一方の端が前記常時外部電源と接続されて前記スリープモードで動作するバッテリー管理システムを活性化させるウェイクアップリレイをさらに備えてなってもよい。
2020517229.tif 000002
【特許請求の範囲】
【請求項１】
常時外部電源が入力される外部電源入力部と、
電力が蓄えられるバッテリーと、
前記常時外部電源及び前記バッテリーの電力を調節する電力調節装置と、
を備えてなり、
前記バッテリーは、
一つ以上のバッテリーセルにより構成されたバッテリーモジュールと、
バッテリー管理システムと、
前記バッテリーモジュールと前記バッテリー管理システムとの間の経路及び前記バッテリーモジュールと前記電力調節装置との間の経路に配置されるメインスイッチと、
前記電力調節装置からウェイクアップオン信号を受信して、バッテリー管理システムにウェイクアップ信号を伝送するウェイクアップリレイと、
を備えてなり、
前記バッテリー管理システムは、
前記バッテリーモジュールの残存容量が所定の容量以下になれば、前記メインスイッチをオフにして前記バッテリーモジュールと前記バッテリー管理システムとの接続を遮断することにより、スリープモードに進入し、
前記電力調節装置は、前記バッテリーモジュールが充電状態であるときは前記常時外部電源から、放電状態であるときはバッテリーモジュールから駆動電力を入力されることを特徴とするエネルギー貯蔵システム。
【請求項２】
前記電力調節装置は、
前記常時外部電源の入力部への前記常時外部電源の接続有無を判断し、且つ、前記ウェイクアップリレイを制御する制御部
を備えてなり、
前記制御部において、前記常時外部電源が接続されている状態であると判断されれば、前記電力調節装置は、前記常時外部電源から前記バッテリーモジュールに電力を供給して前記バッテリーモジュールを充電し、
前記制御部において、前記常時外部電源が接続されていない状態であると判断されれば、前記電力調節装置は、前記バッテリーモジュールの電力を外部に放電することを特徴とする請求項１に記載のエネルギー貯蔵システム。
【請求項３】
前記制御部は、
前記電力調節装置に供給される前記常時外部電源とバッテリー電源が両方とも遮断されてオフ状態になっていて、前記常時外部電源が供給されて前記電力調節装置がオンになる瞬間にのみ、前記ウェイクアップリレイオン信号を生成して、前記ウェイクアップリレイに入力することを特徴とする請求項２に記載のエネルギー貯蔵システム。
【請求項４】
前記ウェイクアップリレイは、
一方の端が前記電力調節装置の制御部に接続されて、前記電力調節装置の制御部からウェイクアップリレイオン信号を入力されれば、リレイがオンになって、前記バッテリーモジュールの電力が前記スリープモードで動作中のバッテリー管理システムに入力されるように接続して、前記スリープモードで動作中の前記バッテリー管理システムを活性化させることを特徴とする請求項２又は３に記載のエネルギー貯蔵システム。
【請求項５】
前記バッテリー管理システムは、
活性化された後に、
前記メインスイッチをオンにし、
前記ウェイクアップリレイをオフにすることを特徴とする請求項４に記載のエネルギー貯蔵システム。
【請求項６】
エネルギー貯蔵システムの過放電を防止し、且つ、再起動させるための方法において、
バッテリー管理システムにおいてエネルギー貯蔵システムを構成するバッテリーモジュールの残存容量を測定するバッテリーモジュールの残存容量の測定ステップと、
前記測定されたバッテリーモジュールの残存容量が所定の容量以下である場合、バッテリーモジュールの放電を遮断し、前記バッテリー管理システムがスリープモードに切り替えるエネルギー貯蔵システムの過放電防止ステップと、
前記バッテリー管理システムがスリープモードにある間に、電力調節装置において、前記エネルギー貯蔵システムの常時外部電源の異常有無を判断する常時外部電源の異常有無の判断ステップと、
前記エネルギー貯蔵システムの前記常時外部電源の異常有無を判断したところ、前記常時外部電源が正常である場合、前記バッテリー管理システムを活性化させて前記エネルギー貯蔵システムを再起動させるエネルギー貯蔵システムの再起動ステップと、
を含んでなることを特徴とするエネルギー貯蔵システムの過放電防止及び再起動方法。
【請求項７】
前記エネルギー貯蔵システムの再起動ステップにおいて、
常時外部電源に異常があると判断される場合、前記バッテリー管理システムのスリープモードを保持し続け、
前記常時外部電源が正常である場合、前記バッテリー管理システムを活性化させることは、
前記電力調節装置の制御部において、ウェイクアップリレイオン信号を生成するウェイクアップリレイオン信号の生成ステップと、
前記生成されたウェイクアップリレイオン信号をウェイクアップリレイに入力するウェイクアップ信号の入力ステップと、
前記ウェイクアップリレイオン信号を入力した前記ウェイクアップリレイがオンになるウェイクアップリレイオンステップと、
を含んでなり、
前記ウェイクアップリレイがオンになれば、
バッテリーモジュールの電力がスリープモードで動作中の前記バッテリー管理システムに入力されて、前記スリープモードで動作中の前記バッテリー管理システムが活性化されることを特徴とする請求項６に記載のエネルギー貯蔵システムの過放電防止及び再起動方法。
【請求項８】
前記スリープモードで動作中の前記バッテリー管理システムが活性化された場合、
前記バッテリー管理システムは、
メインスイッチをオンにし、前記ウェイクアップリレイをオフにするステップをさらに含んでなることを特徴とする請求項７に記載のエネルギー貯蔵システムの過放電防止及び再起動方法。
【発明の詳細な説明】
【技術分野】
【０００１】
本発明は、スリープモードで動作中のマイクロコントロールユニット（ＭＣＵ）をウェイクアップさせる装置及び方法に関する。
【背景技術】
【０００２】
最近、生産された電力を蓄え、これを必要なときに使用するエネルギー貯蔵システム（ＥＳＳ）への関心が高まりつつある。
【０００３】
まず、バッテリーとエネルギー貯蔵システムとの相違点について述べると、バッテリーは、直流電源を貯蔵し、これを単に出力する構成であるのに対し、エネルギー貯蔵システムは、交流を直流に変換して貯蔵し、貯蔵された直流を交流に変換して出力し、パワーコントロールシステム（ＰＣＳ）を介して電気の供給及び出力を自体的に制御可能な構成を有するという点において相違点が存在する。
【０００４】
すなわち、エネルギー貯蔵システムは、ＰＣＳ、パワーマネジメントシステム（ＰＭＳ）、バッテリーなどの各種多様な製品を一つに連動させて電力を統合的に管理及び制御するシステムであるといえる。
【０００５】
一方、エネルギー貯蔵システムのＰＣＳは、常時外部電源からバッテリーへと電力が貯蔵されるときに交流を直流に変換する充電機能と、バッテリーから出力される直流を交流に変換して放電する機能とを行うことができる。
【０００６】
このようなＰＳＣは、常時外部電源が接続されている場合には常時外部電源により駆動され、常時外部電源が切れている停電状態になれば、バッテリー電力を用いて駆動される。
【０００７】
一方、エネルギー貯蔵システムのＰＭＳは、一つ以上のエネルギー貯蔵システムを統合して管理する機能を行うことができる。
【０００８】
一方、エネルギー貯蔵システムのバッテリーは、バッテリー管理システムをさらに備えてなり、バッテリーの残存容量が所定の値以下になる場合にはバッテリーの放電を遮断し、バッテリー管理システムがスリープモードで動作することになる。
【０００９】
このように、バッテリー管理システムがスリープモードで動作すれば、バッテリーに常時外部電源が接続されても充電が行われず、バッテリーから外部への放電も行われないため、正常的なバッテリーの機能を行うことができなくなる。
【００１０】
このようなスリープモードで動作するバッテリー管理システムを活性化させるためには、ユーザーが自らスイッチをオンにしなければならないという問題があった。
【００１１】
したがって、本発明においては、エネルギー貯蔵システムに常時外部電源が接続される場合、常時外部電源が接続されれば駆動されるＰＣＳを用いて、スリープモードで動作するバッテリー管理システムを活性化させる装置及び方法を提案する。
【発明の概要】
【発明が解決しようとする課題】
【００１２】
本発明は、スリープモードで動作するバッテリー管理システムを活性化させる装置及び方法を提供する。
【００１３】
より具体的には、常時外部電源が接続されるときにオンになるＰＣＳを用いて、スリープモードのバッテリー管理システムを活性化させる装置及び方法を提供する。
【課題を解決するための手段】
【００１４】
本発明の実施形態に係るエネルギー貯蔵システムは、常時外部電源が入力される外部電源入力部と、電力が蓄えられるバッテリーと、前記常時外部電源及び前記バッテリーの電力を調節する電力調節装置と、を備えてなり、前記バッテリーは、一つ以上のバッテリーセルにより構成されたバッテリーモジュールと、バッテリー管理システムと、前記バッテリーモジュールと前記バッテリー管理システムとの間の経路及び前記バッテリーモジュールと電力調節装置との間の経路に配置されるメインスイッチと、電力調節装置からウェイクアップオン信号を受信して、バッテリー管理システムにウェイクアップ信号を伝送するウェイクアップリレイと、を備えてなり、前記バッテリー管理システムは、前記バッテリーモジュールの残存容量が所定の容量以下になれば、前記メインスイッチをオフにしてバッテリーモジュールとバッテリー管理システムとの接続を遮断することにより、スリープモードに進入し、前記電力調節装置は、前記バッテリーモジュールが充電状態であるときは常時外部電源から、放電状態であるときはバッテリーモジュールから駆動電力を入力されてもよい。
【００１５】
一方、前記電力調節装置は、前記常時外部電源の入力部への常時外部電源の接続有無を判断し、且つ、前記ウェイクアップリレイを制御する制御部を備えてなり、前記制御部において、常時外部電源が接続されている状態であると判断されれば、前記電力調節装置は、常時外部電源からバッテリーモジュールに電力を供給してバッテリーモジュールを充電し、前記制御部において、常時外部電源が接続されていない状態であると判断されれば、前記電力調節装置は、前記バッテリーモジュールの電力を外部に放電してもよい。
【００１６】
一方、前記制御部は、前記電力調節装置に供給される前記常時外部電源とバッテリー電源が両方とも遮断されてオフ状態になっていて、常時外部電源が供給されて電力調節装置がオンになる瞬間にのみ、前記ウェイクアップリレイオン信号を生成して、前記ウェイクアップリレイに入力してもよい。
【００１７】
一方、前記ウェイクアップリレイは、一方の端が前記電力調節装置の制御部に接続されて、前記電力調節装置の制御部からウェイクアップリレイオン信号を入力されれば、リレイがオンになって、前記常時バッテリーモジュールの電力が前記スリープモードで動作中のバッテリー管理システムに入力されるように接続して、前記スリープモードで動作中のバッテリー管理システムを活性化させてもよい。
【００１８】
一方、前記バッテリー管理システムは、活性化された後に、前記メインスイッチをオンにし、前記ウェイクアップリレイをオフにしてもよい。
【００１９】
本発明の実施形態に係るエネルギー貯蔵システムの過放電防止及び再起動方法は、エネルギー貯蔵システムの過放電を防止し、且つ、再起動させるための方法において、バッテリー管理システムにおいてエネルギー貯蔵システムを構成するバッテリーモジュールの残存容量を測定するバッテリーモジュールの残存容量の測定ステップと、前記測定されたバッテリーモジュールの残存容量が所定の容量以下である場合、バッテリーモジュールの放電を遮断し、バッテリー管理システムがスリープモードに切り替えるエネルギー貯蔵システムの過放電防止ステップと、前記バッテリー管理システムがスリープモードにある間に、電力調節装置において前記エネルギー貯蔵システムの常時外部電源の異常有無を判断する常時外部電源の異常有無の判断ステップと、前記エネルギー貯蔵システムの常時外部電源の異常有無を判断したところ、常時外部電源が正常である場合、バッテリー管理システムを活性化させてエネルギー貯蔵システムを再起動するエネルギー貯蔵システムの再起動ステップと、を含んでなってもよい。
【００２０】
一方、前記エネルギー貯蔵システムの再起動ステップにおいて、常時外部電源に異常があると判断される場合、バッテリー管理システムのスリープモードを保持し続け、前記常時外部電源が正常である場合、バッテリー管理システムを活性化させることは、前記電力調節装置の制御部において、ウェイクアップリレイオン信号を生成するウェイクアップリレイオン信号の生成ステップと、前記生成されたウェイクアップリレイオン信号をウェイクアップリレイに入力するウェイクアップ信号の入力ステップと、前記ウェイクアップリレイオン信号を入力したウェイクアップリレイがオンになるウェイクアップリレイオンステップと、を含んでなり、前記ウェイクアップリレイがオンになれば、バッテリーモジュールの電力がスリープモードで動作中のバッテリー管理システムに入力されて、前記スリープモードで動作中のバッテリー管理システムが活性化されてもよい。
【００２１】
一方、前記スリープモードで動作中のバッテリー管理システムが活性化された場合、前記バッテリー管理システムは、前記メインスイッチをオンにし、前記ウェイクアップリレイをオフにするステップをさらに含んでなってもよい。
【発明の効果】
【００２２】
本発明は、エネルギー貯蔵システムに常時外部電源が入力されれば、スリープモードであるバッテリーのバッテリー管理システム（ＢＭＳ）を自動的にウェイクアップさせることができる。
【図面の簡単な説明】
【００２３】
【図１】本発明の実施形態に係るエネルギー貯蔵システムの過放電防止及び再起動装置の構成図である。
【図２】本発明の実施形態に係るエネルギー貯蔵システムの過放電防止及び再起動装置の実際の回路図の例示である。
【図３】本発明の実施形態に係るエネルギー貯蔵システムの過放電防止及び再起動方法の手順図である。
【発明を実施するための形態】
【００２４】
以下、添付図面に基づいて、本発明が属する技術分野において通常の知識を有する者が容易に実施できるように本発明の実施形態について詳しく説明する。しかしながら、本発明は以下に開示される実施形態に何ら限定されるものではなく、異なる様々な形態に具体化される。なお、図中、本発明を明確に説明するために、説明とは無関係な部分は省略し、明細書の全般に亘って、類似の部分には類似の図面符号を付している。
【００２５】
「第１の」、「第２の」など序数を含む言い回しは、様々な構成要素を説明するうえで使用可能であるが、前記構成要素は、前記言い回しによって何等限定されない。前記言い回しは、ある構成要素を他の構成要素から区別する目的でしか使えない。例えば、本発明の権利範囲を逸脱しないつつも、第１の構成要素は第２の構成要素と命名されてもよく、同様に、第２の構成要素もまた第１の構成要素と命名されてもよい。本出願において用いた用語は、単に特定の実施形態を説明するために用いられたものであり、本発明を限定しようとする意図はない。単数の表現は、文脈からみて明らかに他の意味を有さない限り、複数の言い回しを含む。
【００２６】
明細書の全般に亘って、ある部分が他の部分と「接続」されているとしたとき、これは、「直接的に接続」されている場合のみならず、これらの間に他の部材を挟んで「電気的に接続」されている場合も含む。なお、ある部分がある構成要素を「備える」としたとき、これは、特に断りのない限り、他の構成要素を除外するわけではなく、他の構成要素をさらに備えていてもよいことを意味する。本願明細書の全体にわたって用いられる度合いの用語「〜するステップ」又は「〜のステップ」は、「〜のためのステップ」を意味するものではない。
【００２７】
本発明において用いられる用語としては、本発明における機能を考慮したうえで、できる限り現在汎用されている通常の用語を選択したが、これは、当分野に携わっている技術者の意図又は判例、新たな技術の出現などに応じて異なる。なお、特定の場合、出願人が任意に選定した用語もあり、この場合、対応する発明の説明の部分において詳しくその意味を記載する。したがって、本発明において用いられる用語は、単なる用語の名称ではなく、その用語が有する意味と本発明の全般に亘たっての内容に基づいて定義されるべきである。
【００２８】
１．本発明の実施形態に係るエネルギー貯蔵システムの過放電防止及び再起動装置。
【００２９】
図１は、本発明の実施形態に係るエネルギー貯蔵システムの過放電防止及び再起動装置の全体的な構成図であり、図２は、本発明の実施形態に係るエネルギー貯蔵システムの過放電防止及び再起動装置の実際の回路図の例示である。
【００３０】
以下では、図１及び図２に基づいて、本発明の実施形態に係るエネルギー貯蔵システムの過放電防止及び再起動装置について説明する。
【００３１】
本発明の実施形態に係るエネルギー貯蔵システムは、常時外部電源３０が入力される外部電源入力部、電力が蓄えられるバッテリー１０、前記常時外部電源３０及び前記バッテリー１０の電源を調節する電力調節装置２０を備えてなり、前記バッテリー１０は、一つ以上のバッテリーセルにより構成されたバッテリーモジュール１１、バッテリー管理システム１２、前記バッテリーモジュール１１と前記バッテリー管理システム１２との間の経路及び前記バッテリーモジュール１１と電力調節装置２０との間の経路に配置されるメインスイッチ４０、及び、電力調節装置２０からウェイクアップオン信号を受信して、バッテリー管理システム１２にウェイクアップ信号を伝送するウェイクアップリレイ１３を備えてなり、前記バッテリー管理システム１２は、前記バッテリーモジュール１１の残存容量が所定の容量以下になれば、前記メインスイッチ４０をオフにして、バッテリーモジュール１１とバッテリー管理システム１２との接続を遮断することにより、スリープモードに進入し、前記電力調節装置２０は、前記バッテリーモジュール１１が充電状態であるときは常時外部電源３０から、放電状態であるときはバッテリーモジュール１１から駆動電力を入力されてもよい。
【００３２】
より具体的に、前記バッテリー管理システム１２は、前記バッテリーモジュール１１の残存容量が所定の容量以下になれば、前記メインスイッチ４０をオフにして、バッテリーモジュール１１とバッテリー管理システム１２との接続を遮断してスリープモードに進入してもよい。
【００３３】
一方、前記電力調節装置２０は、前記バッテリーモジュール１１が充電状態であるときは常時外部電源から、放電状態であるときはバッテリーモジュール１１から駆動電力を入力されてもよい。
【００３４】
より具体的に、前記電力調節装置２０は、エネルギー貯蔵システムの常時外部電源入力部への常時外部電源３０の接続有無を判断し、且つ、前記ウェイクアップリレイ１３を制御する制御部を備えてなってもよい。
【００３５】
より具体的に、前記制御部における前記常時外部電源３０への電源供給有無の判断は、前記常時外部電源の出力端から前記電力調節装置２０の入力部へと所定の電圧、電流などが入力されれば、前記常時外部電源３０が接続されていると判断し、前記常時外部電源３０の出力端から前記電力調節装置２０の入力部へと所定の電圧、電流などが入力されなければ、前記常時外部電源３０が接続されていないと判断してもよい。
【００３６】
一方、前記制御部において、常時外部電源３０が接続された状態であると判断されれば、前記電力調節装置２０は、前記常時外部電源３０の電源により駆動されて、前記常時外部電源３０の電圧、電流、周波数、位相のいずれか一つ以上を変換して、バッテリーモジュール１１を充電し、前記制御部において、常時外部電源３０が接続されていない状態であると判断されれば、前記電力調節装置２０は、前記バッテリーモジュール１１の電力により駆動されて、前記バッテリーモジュール１１の電圧、電流、周波数、位相のいずれか一つ以上を変換して放電して、電子装置を駆動してもよい。
【００３７】
一方、常時外部電源３０が接続されていない状況及び常時外部電源３０に異常が生じた状況は、前記エネルギー貯蔵システムの常時外部電源３０の入力部に入力される常時外部電源がない場合であってもよい。
【００３８】
すなわち、前記電力調節装置２０は、常時外部電源３０が接続されている場合は、常時外部電源３０により駆動され、常時外部電源３０の接続が切れている場合は、バッテリーモジュール１１の電力により駆動されてもよい。
【００３９】
したがって、前記電力調節装置２０は、前記常時外部電源３０が接続されず、バッテリーモジュール１１の容量が所定の容量以下になって、バッテリーモジュール１１の放電が遮断された状態ではオフになり得る。
【００４０】
一方、前記電力調節装置２０の制御部は、前記電力調節装置２０に供給される前記常時外部電源３０とバッテリーモジュール１１の電力が両方とも遮断されていて、前記常時外部電源３０が再び供給される瞬間にのみ前記ウェイクアップリレイ１３をオンにするウェイクアップリレイオン信号を生成して、前記ウェイクアップリレイ１３に入力してもよい。
【００４１】
すなわち、前記電力調節装置２０の制御部は、前記電力調節装置２０がオフになっていて、常時外部電源３０の再供給により再びオンになる場合にのみ前記ウェイクアップリレイオン信号を生成してもよい。
【００４２】
一方、前記ウェイクアップリレイ１３は、ウェイクアップリレイ１３の入力端が前記電力調節装置２０の制御部に接続されて、前記電力調節装置２０の制御部からウェイクアップリレイオン信号が入力されれば、リレイがオンになって、前記バッテリーモジュール１１の電力が前記スリープモードで動作中のバッテリー管理システム１２に入力されるように接続して、前記スリープモードで前記スリープモードで動作中のバッテリー管理システム１２を活性化させてもよい。
【００４３】
一方、前記バッテリー管理システム１２は、活性化された後に、前記メインスイッチ４０をオンにし、前記ウェイクアップリレイ１３をオフにしてもよい。
【００４４】
前記バッテリー管理システム１２が、前記メインスイッチ４０をオンにし、前記ウェイクアップリレイ１３をオフにすることは、バッテリーモジュール１１の残存容量が所定の値以下になる場合、バッテリー管理システム１２が再びスリープモードで動作できるようにするためである。
【００４５】
すなわち、前記ウェイクアップリレイ１３のオン状態が続く場合、バッテリー管理システム１２においてバッテリーモジュール１１の残存容量が所定の容量以下になってスリープモードで動作していても、前記バッテリーモジュール１１の電力がバッテリー管理システム１２を活性化させ続けて、バッテリーモジュール１１の残存容量が所定の値以下になる場合でも放電が起こり続けてバッテリーモジュール１１のダメージが生じる虞もある。
【００４６】
したがって、このようなバッテリーモジュール１１のダメージの発生を防止するために、バッテリー管理システム１２が活性化された後に、メインスイッチ４０をオンにする場合、ウェイクアップリレイ１３はオフにしなければならない。
【００４７】
２．本発明の実施形態に係るエネルギー貯蔵システムの過放電を防止し、再起動させるための方法。
【００４８】
図３は、本発明の実施形態に係るエネルギー貯蔵システムの過放電を防止し、再起動させるための方法の手順図である。
【００４９】
以下では、図３に基づいて、本発明の実施形態に係るエネルギー貯蔵システムの過放電を防止し、再起動させるための方法について説明する。
【００５０】
本発明の実施形態に係るエネルギー貯蔵システムの過放電を防止し、再起動させるための方法は、バッテリー管理システム１２において、エネルギー貯蔵システムを構成するバッテリー１０の残存容量を測定するバッテリーの残存容量の測定ステップ（Ｓ１００）、前記測定されたバッテリー１０の残存容量が所定の容量以下である場合、バッテリーの放電を遮断し、バッテリー管理システム１２がスリープモードで動作するエネルギー貯蔵システムの過放電防止ステップ（Ｓ２００）、前記バッテリー管理システム１２がスリープモードで動作する間に、電力調節装置２０において前記エネルギー貯蔵システムの常時外部電源３０の異常有無を判断する常時外部電源３０の異常有無の判断ステップ（Ｓ３００）、及び、前記エネルギー貯蔵システムの常時外部電源３０の接続有無を判断したところ、常時外部電源３０が正常である場合、バッテリー管理システム１２を活性化させてエネルギー貯蔵システムを再起動させるエネルギー貯蔵システムの再起動ステップ（Ｓ４００）を含んでなってもよい。
【００５１】
より具体的に、前記バッテリー１０の残存容量の測定ステップ（Ｓ１００）においては、上述したように、バッテリー管理システム１２においてバッテリー１０の残存容量を測定してもよいが、これに何ら限定されず、数式に基づいて、バッテリー管理システム１２において算出されてもよく、別途の外部装置において測定または算出されてもよい。
【００５２】
一方、エネルギー貯蔵システムの過放電防止ステップ（Ｓ２００）においては、バッテリー１０の残存容量を測定して、バッテリー１０の残存容量が所定の容量以下になれば、バッテリー１０の放電を遮断することにより、バッテリー１０が所定の容量以下においても放電を行い続けてバッテリー１０が損なわれることを防止することができる。
【００５３】
一方、前記バッテリー管理システム１２がスリープモードで動作するということは、エネルギー貯蔵システムにおける常時外部電源３０に異常があって、エネルギー貯蔵システムのバッテリーモジュール１１から外部の電子装置へと電力を供給していて、バッテリーモジュール１１の容量が所定の容量以下になってバッテリーモジュール１１の放電が遮断されている状態であるため、エネルギー貯蔵システムが常時外部電源３０と接続されていない状態であってもよい。
【００５４】
したがって、エネルギー貯蔵システムの制御部において、常時外部電源３０に異常があると判断される場合、バッテリー管理システム１２のスリープモードを保ち続けることができる。
【００５５】
一方、前記エネルギー貯蔵システムの制御部において、常時外部電源３０に異常がないと判断される場合、電力調節装置２０の制御部においてウェイクアップリレイオン信号を生成するウェイクアップリレイオン信号の生成ステップ、前記生成されたウェイクアップリレイオン信号をウェイクアップリレイ１３に入力するウェイクアップ信号の入力ステップ、前記ウェイクアップリレイオン信号を入力されたウェイクアップリレイ１３がオンになるウェイクアップリレイオンステップ、をこの順に行ってウェイクアップリレイ１３をオンにしてもよい。
【００５６】
このように、前記ウェイクアップリレイ１３がオンになれば、バッテリーモジュール１１の電源がスリープモードで動作中のバッテリー管理システム１２に入力されて、前記スリープモードで動作中のバッテリー管理システム１２が活性化され得る。
【００５７】
一方、前記スリープモードで動作中のバッテリー管理システム１２が活性化された場合、バッテリー管理システム１２は、前記メインスイッチ４０をオンにし、前記ウェイクアップリレイ１３をオフにするステップをさらに行ってもよい。
【００５８】
このように、前記バッテリー管理システム１２が、前記メインスイッチ４０をオンにし、前記ウェイクアップリレイ１３をオフにすることは、バッテリー１０の残存容量が所定の値以下になる場合、バッテリー管理システム１２が再びスリープモードで動作できるようにするためである。
【００５９】
すなわち、前記ウェイクアップリレイ１３のオン状態が続く場合、バッテリー管理システム１２において、バッテリー１０の残存容量が所定の容量以下になってスリープモードで動作していても、前記常時外部電源３０がバッテリー管理システム１２を活性化させ続けて、バッテリー１０の残存容量が所定の値以下になる場合でも放電が起こり続けてバッテリー１０のダメージが生じる虞もある。
【００６０】
したがって、このようなバッテリー１０のダメージの発生を防止するために、バッテリー管理システム１２が活性化された後に、メインスイッチ４０をオンにする場合、ウェイクアップリレイ１３はオフにしなければならない。
【００６１】
一方、本発明の技術的思想は、前記実施形態に基づいて具体的に記述されたが、前記実施形態はその説明のためのものであり、その制限のためのものではないということに留意すべきである。なお、本発明の技術分野における当業者であれば、本発明の技術思想の範囲内において種々の実施形態が採用可能であるということが理解できる筈である。
【符号の説明】
【００６２】
１０  バッテリー
１１  バッテリーモジュール
１２  バッテリー管理システム
１３  ウェイクアップリレイ
２０  電力調節装置
３０  常時外部電源
４０  メインスイッチ
【図１】
2020517229.tif 000003
【図２】
2020517229.tif 000004
【図３】
2020517229.tif 000005
【国際調査報告】
2020517229.tif 000006
2020517229.tif 000007
2020517229.tif 000008
2020517229.tif 000009